(57)【特許請求の範囲】
【請求項１】
特に飲料のような食料品の調製のための供給器における使用のための、カプセルタイプの食品を含む消耗品であって、前記消耗品は、
液体に対して不透過性である少なくとも１つの堅固な壁部分を有する筐体と、
前記消耗品が前記供給器の処理ユニットに挿入されたときに、前記筐体へ加圧水が流入することを可能とするよう構成された入口部分と、
前記筐体から主流体が流れ出すことを可能とするよう構成された少なくとも１つの主出口部分と、
前記筐体に配置された少なくとも２つの別個の室と、
前記少なくとも２つの別個の室の少なくとも一方と動作可能に結合された内部流量制御構成と、
を有し、前記内部流量制御構成は、前記少なくとも一方の室からの流体の流れを選択的に許容する又は防止するよう第１の状態と第２の状態との間で動作可能であり、前記第１の状態においては主流体のスループットを作動させ、前記第２の状態においては副流体のスループットを作動させる、消耗品。
【請求項２】
前記筐体から流れ出る別個の副流体を実現するよう構成された少なくとも１つの副出口部分を更に有し、前記少なくとも２つの別個の室のうちの第１の室は、前記少なくとも１つの主出口部分に結合され、前記少なくとも２つの別個の室のうちの第２の室は、前記少なくとも１つの副出口部分に結合された、請求項１に記載の消耗品。
【請求項３】
前記内部流量制御構成は、前記少なくとも１つの主出口部分又は前記少なくとも１つの副出口部分と関連し、前記内部流量制御構成は、対応する出口部分を通る出力流が可能とされる第１の状態と、対応する出口部分を通る出力流が少なくとも略防止される第２の状態と、の間で動作可能である、請求項２に記載の消耗品。
【請求項４】
前記筐体の前記少なくとも１つの堅固な壁部分は、金属材料又はプラスチック材料からつくられ、前記入口部分に関連する入口端と、前記主出口部分及び前記副出口部分に関連する出口端と、を定義する基本的に回転対称な形状とされ、前記消耗品は、前記筐体を前記少なくとも２つの別個の室に分割する内側筐体を有し、前記主出口部分は、前記第１の室と関連し、前記副出口部分は、前記第２の室と関連する、請求項２に記載の消耗品。
【請求項５】
前記内部流量制御構成は、前記内側筐体の中央部分において、前記消耗品の出口端に隣接して配置された、請求項４に記載の消耗品。
【請求項６】
前記第１の室は、基本的に円形のプロファイルを有し、前記第２の室は、基本的に前記第１の室のプロファイルを囲む環状のプロファイルを有し、前記主出口部分は、前記出口端の中央部分に配置され、前記副出口部分は、前記出口端の周縁領域に配置された、請求項４に記載の消耗品。
【請求項７】
前記内部流量制御構成は、内部流量特性に基づいて動作可能な、特に圧力依存型又は流量依存型の流量制御弁である、少なくとも１つの流量制御弁を有する、請求項１に記載の消耗品。
【請求項８】
前記内部流量制御構成は、流量パラメータ、特に圧力又はスループットが、所定の閾値を超えた場合に、対応する出力流を少なくとも略遮断する、請求項７に記載の消耗品。
【請求項９】
前記内部流量制御構成は、弾力性材料、特にゴム又はゴムベースの材料からつくられた流量制御弁を有する、請求項１に記載の消耗品。
【請求項１０】
前記流量制御弁は、選択的に、第２の状態において前記消耗品の対応する流れの通過をカバーし、第１の状態において該流れの通過を露出する、屈曲可能な部分を有する、請求項９に記載の消耗品。
【請求項１１】
前記屈曲可能な部分は、外的な負荷のない状況で、略定常状態にあり、流路を形成する前記消耗品の対応する流れ導管から少なくとも部分的に離れるように曲げられ又は持ち上げられ、前記第１の状態と前記第２の状態との間の遷移のときに、増大させられた流量又は増大させられた圧力により引き起こされる外的な負荷が、前記屈曲可能な部分を変形させる、請求項１０に記載の消耗品。
【請求項１２】
食料品の調製のための供給器のための処理ユニットであって、前記処理ユニットは、
少なくとも１つの第１の受容部及び少なくとも１つの第１の締結部を有する、消耗品を受容するための受容空洞と、
前記消耗品の入口部分が基本的に圧密な態様で係合され得るように、前記消耗品の第１の端と入口側で接触するよう構成された、封止ユニットと、
加圧水が供給されることができる入口導管に結合された入口係合ユニットであって、前記消耗品の入口部分と係合して前記消耗品のなかの食料品を処理するよう動作可能な、入口係合ユニットと、
出口係合ユニットと、
を有し、前記出口係合ユニットは、
前記消耗品の出口側において前記消耗品の少なくとも１つの主出口部分に係合して、処理された食品が前記消耗品から流れ出ることを可能とするよう動作可能な、主出口係合ユニットと、
入力流の流量パラメータを制御して、前記消耗品の内部流量制御構成を作動させるよう動作可能な、入力流操作構成と、
を有し、前記処理ユニットは、前記内部流量制御構成を動作させるよう、請求項１乃至１１のいずれか一項に記載の消耗品を処理するよう構成された、処理ユニット。
【請求項１３】
前記処理ユニットは更に、
処理された食料品が前記消耗品から流れ出ることを可能とするための、出口側において前記消耗品の少なくとも１つの副出口部分に係合するよう動作可能な、出口係合構成において実装された副出口係合ユニットと、
前記主出口係合ユニット及び少なくとも１つの副出口係合ユニットが時間的にずれた態様で前記消耗品に係合するよう前記少なくとも１つの副出口係合ユニットを制御するように動作可能な係合制御ユニットと、
を有する、請求項１２に記載の処理ユニット。
【請求項１４】
前記入力流操作構成と前記係合制御ユニットとは、協働して入力流の増大及び前記少なくとも１つの副出口係合ユニットの係合を同期させるよう結合された、請求項１３に記載の処理ユニット。
【請求項１５】
特にアクチュエータコイルのような磁気アクチュエータユニットを更に有し、前記磁気アクチュエータユニットは、前記消耗品の前記内部流量制御構成の可動弁部材に作動力をかけ、第１の状態と第２の状態との間で前記弁部材をリモートで動作させ、前記少なくとも１つの室からの流体の流れを選択的に許容又は防止するよう動作可能である、請求項１２に記載の処理ユニット。
【請求項１６】
特に飲料供給器のような、食料品の調製のための供給機器であって、前記供給機器は、
水タンクと
前記水タンクから供給される水を加圧するためのポンプユニットと、
前記加圧された水を加熱するための加熱ユニットと、
請求項１２に記載の処理ユニットと、
を有する供給機器。
【発明の詳細な説明】
【技術分野】
【０００１】
本発明は、圧力下で熱水又は冷水のような抽出流体の通過を通して食品の抽出を介して飲料を調製する機器（ここでは一般的に飲料供給器と呼ばれる）の領域に関する。コーヒー又は茶のような食品は、これら機器に挿入される消耗品（consumable）に含まれる。飲料は従って一般的にコーヒー、茶、スープ、温かい又は冷たいココア、ミルク又は離乳食であり得る。
【０００２】
更に詳細には、本発明は、種々の目的を担う複数の内部室を有する消耗品（カプセル又はポッドとも呼ばれる）に関する。本発明は更に、供給器のための処理ユニット、及び上述した消耗品を処理し得る食料品供給器に関する。
【背景技術】
【０００３】
国際特許出願公開WO2014/057098A1は、略平坦で堅固な基部と、原料を収容するための少なくとも２つの原料区画と、それぞれが該区画の１つに結合され、該基部の面から突出する凹部により形成された、少なくとも２つの排出部と、カードの基部側において該区画及び排出部をカバーする該基部に備えられた少なくとも１つの封止部材と、を有する、食品又は飲料の原料を収容するためのカートリッジであって、該カードは、該排出部を介して該区画から原料を排出するよう、食品及び飲料調製装置における挿入のために設計された、カートリッジを開示している。更に、流れ制御要素が備えられ、該流れ制御要素は、少なくとも１つの排出部に配置され、該排出部のなかで移動可能であり、該流れ制御要素は、該排出部を原料が通過することを可能とするチャネルを有し、該流れ制御要素は、該排出部の入口又は出口を閉じる閉じ手段を穿孔するための穿孔部材を有する。
【０００４】
独国特許出願公開DE2602832A1は、筐体と該筐体内に配置された封止板とを有する、ガラス製のカプセルであって、該封止板が、筐体内の原料室を区切り、該封止板が、圧力の印加に応答して変形して、カプセルから流体を流れ出させるよう構成された、カプセルを開示している。
【０００５】
飲料カプセルの更なる構成は、米国特許出願公開US2009/007796A1、欧州特許出願公開EP2030915A2及び国際特許出願公開WO2014/057094A1から知られている。
【０００６】
飲料供給機器は、欧州特許出願公開EP2543291A1から知られている。該文献は、飲料の製造のための煎出ヘッドを有する飲料製造機であって、該煎出ヘッドは、互いに対して移動可能な少なくとも２つの煎出室を有する煎出室と、水加熱器と、前記水加熱器から前記煎出室において加圧された熱水を供給するための熱水管と、前記飲料が供給される供給管と、前記少なくとも２つの煎出室を支持する構造フレームと、を有し、前記構造フレームには、煎出の間に前記煎出室における加圧された水により生成される力がかかり、前記構造フレームは前記水加熱器を含む、飲料製造機を開示している。
【０００７】
現在利用されている消耗品（一杯分ユニット又は使い捨て消耗品とも呼ばれる）は基本的に、２つのタイプのものである。一方のタイプの消耗品は一般に「カプセル」と呼ばれ、基本的には食品を収容する堅固な壁を備え、抽出水が通過する２つの基部を持つユニットである。カプセルは２つの部分により定義された室に配置され、一方の部分はカプセルの大部分を受容するような形状とされ、他方は該室を堅固に封止する閉じ部分である。水は該室に導入され、次いで該カプセルを通過する。カプセルの堅固な形状のため、該室の液密な封止が、水が基本的に該室を通って抽出される物質を再循環させることなくカプセルを通過することを可能とする。
【０００８】
平坦な形状の第２のタイプの消耗品は、一般に「ポッド」（又は「パッド」）と呼ばれ、食品が配置される空洞を定義するよう切断され対にされた、薄い柔らかい材料からつくられた２つの部分から成っても良い。該材料は、例えばフィルタ特性を備えた紙、又は布若しくは不織布であっても良い。該２つの部分は一般に円形であり、外側端に沿って結合されて、外側環状フランジを定義する。ポッドを利用する機械は、ポッドが配置される室を定義するよう封止された２つの半殻を持っても良い。特に、ポッドの環状フランジは、室の外側に定義された該半殻の対向面の間に受容されても良い。一般に、コーヒーベースのポッドは、それ自体のフィルタにおける予めパッケージングされた挽かれたコーヒー豆とみなされ得る。
【発明の概要】
【発明が解決しようとする課題】
【０００９】
本開示は、カプセル型の消耗品に焦点を当てる。供給される食品、特にコーヒーベースの又はそれに類する飲料の香り、品質及び外観を更に改善する一般的なニーズが存在する。このことは特に、消耗品から得られ得る種々の製品に当てはまる。カプチーノ、カフェラテ、ラテマッキアート等のような非標準的な飲料に対する要求がある。これら非標準的な飲料は一般に、定義された調製の方法に従って複数の原料を処理することを必要とする。それぞれの非標準的な飲料が、動作、維持及び洗浄が困難な、高価で洗練されたエスプレッソマシンからのみ得られる同様の飲料製品に匹敵することが好ましい。
【００１０】
本発明の目的は、カプセルベースの消耗品から得られ得る、種々の成分又は層を有し得る、特に飲料のような食品の調製に対する代替の手法を提供することにある。好適には、本開示においては、非標準的な飲料、特にカプチーノ、カフェラテ、ラテマッキアート等のようなコーヒー飲料の形成を容易化し得る、関連する消耗品及び飲料処理ユニットが提供される。より具体的には、飲料供給器のレベルにおけるコストの高い複雑な制御要素が回避されつつ、所望の食料品の調製において向上させられた機能を可能とする、飲料の調製のための消耗品が提供され得る。
【課題を解決するための手段】
【００１１】
本発明の第１の態様においては、特に飲料のような食料品の調製のための供給器における使用のための、カプセルタイプの食品を含む消耗品であって、前記消耗品は、
液体に対して不透過性である少なくとも１つの堅固な壁部分を有する筐体と、
前記消耗品が前記供給器の処理ユニットに挿入されたときに、前記筐体へ加圧水が流入することを可能とするよう構成された入口部分と、
前記筐体から主流体が流れ出すことを可能とするよう構成された少なくとも１つの主出口部分と、
前記筐体に配置された少なくとも２つの別個の室と、
前記少なくとも２つの別個の室の少なくとも一方と動作可能に結合された内部流量制御構成と、
を有し、前記内部流量制御構成は、前記少なくとも一方の室からの流体の流れを選択的に可能とする又は防止するよう第１の状態と第２の状態との間で動作可能であり、前記第１の状態においては主流体のスループットを作動させ、前記第２の状態においては副流体のスループットを作動させる、消耗品が提示される。
【００１２】
本態様は、内部制御を備えた消耗品が、消費者により受容される処理される食料品の香り、品質及び外観を改善し得るという洞察に基づく。換言すれば、出力される流れに選択的に影響を与え得る内部制御が備えられるため、該消耗品はスマート消耗品と呼ばれ得る。例えば、前記内部流量制御構成は、前記第１の室又は前記第２の室の出力流を選択的に起動する「スイッチ」として構成されても良い。換言すれば、前記消耗品は、多室消耗品、又はより具体的には多室カプセルとして構成されても良い。それ故、該消耗品に種々の食品（例えばコーヒーベースのもの及びミルクベースのもの）が備えられると仮定すると、処理されるべき食料品において定義された層を実現する、定義された出力流が実現され得る。それぞれの流れ制御構成、特にそれぞれの弁が、前記消耗品のレベルにおいて備えられる場合、食料品調製機器（供給器とも呼ばれる）は依然として、比較的単純な設計を持ち、かなり標準的な構成要素及び制御を備え得る。その結果、消耗品は、供給器に対して改善された機能を追加し得る。
【００１３】
流量制御構成の第１の状態は、開状態とも呼ばれ得る。内部流量制御構成の第２の状態は、閉状態とも呼ばれ得る。流量制御構成は、第１の状態と第２の状態との間で作動可能又は移動可能であっても良い。内部流量制御構成は、比較的単純な設計を有し、それ故製造コストにおける著しい増大を引き起こさない。例として、内部流量制御構成は、従来の消耗品の標準的な構成に追加された単一の（付加的な）部分を有しても良い。更に、少なくとも幾つかの実施例においては、内部流量制御構成は、消耗品の他の要素と一体的に形成された要素を有しても良い。一般的に、内部流量制御構成は、少なくとも１つの制御弁又は制御弁構成を有しても良い。
【００１４】
カプセル型の食品収容消耗品は、飲料供給又はカプセル型コーヒーマシンのような供給器の処理ユニットに挿入され処理されるよう構成される。該食品は、挽かれたコーヒー、ミルク粉等のような、食品抽出物であっても良い。
【００１５】
流量制御構成が、食料品調製工程に固有な手段により作動可能であることが、特に好適である。換言すれば、別個の作動要素が備えられる必要がない。例として、内部流量制御構成は、入口部分において筐体に導入され、主出口部分又は副出口部分において筐体から流れ出る、流体の流れにより直接に作動可能であっても良い。本実施例においては更なる作動要素が必要とされないため、消耗品は標準的な供給機器における使用に適している。
【００１６】
内部流量制御構成は、消耗品の一体化された構成要素であるため、流量制御構成は、消耗品のそれぞれの種類及びタイプに特に適合されたものであり得る。供給機器が現在処理されるべき消耗品を「知って」いなくても、向上された調製方法が実現され得る。
【００１７】
例として、内部流量制御構成は、加圧された水の入力流の変化する特性により作動されても良い。その結果、内部流量制御構成は、高度な制御及び作動要素の必要なく、供給機器により間接的に動作させられ得る。
【００１８】
一実施例においては、前記消耗品は更に、前記筐体から流れ出る別個の副流体を実現するよう構成された少なくとも１つの副出口部分を有し、前記少なくとも２つの別個の室の第１の室は、前記少なくとも１つの主出口部分に結合され、前記少なくとも２つの別個の室の第２の室は、前記少なくとも１つの副出口部分に結合される。従って、内部流量制御構成は、前記制御構成が関連する対応する出口部分を通る出力流を選択的に起動するために利用され得る。
【００１９】
他の対応する実施例においては、前記内部流量制御構成は、前記少なくとも１つの主出口部分又は前記少なくとも１つの副出口部分と関連し、前記内部流量制御構成は、対応する出口部分を通る出力流が可能とされる第１の状態と、対応する出口部分を通る出力流が略防止される第２の状態と、の間で動作可能である。
【００２０】
本文脈において、前記食料品がコーヒーベースのものであり、前記少なくとも２つの別個の室が食品を有し、前記第１の室が特にミルク粉のようなミルク製品を有し、前記第２の室が挽かれたコーヒーを有することが、更に好適である。従って、カプチーノ、カフェラテ、ラテマッキアート等のようないわゆるプレミアムコーヒー製品が調製され得る。一般的に、１つよりも多い成分に基づくコーヒーベースの又はそれに類する飲料が、これに応じて処理され得る。前記少なくとも２つの別個の室の各々は、それぞれの食品を収容しても良い。幾つかの飲料については、製品を調製するときに、特定の順序を着実に実行することが望ましい。例えば、カプチーノベースの飲料は、特に温かいミルクを含む第１の層と、特にコーヒー又はエスプレッソを含む第２の層と、泡立てられたミルク泡層として配置され得る第３の層と、を有し得る。従って、該消耗品の前記内部流量制御構成は、液体成分と泡成分とを第１の層に有する組み合わせられたミルク流を最初に実現するよう作動させられても良い。食料品の調製の間、前記内部流量制御構成が作動させられ、ミルクベースの流体の流れが停止させられるか、又は著しく低減させられ、コーヒーの流れが可能とされる、第２の状態へと移行されても良い。コーヒーは次いで、液体のミルク層へと供給され又は該層の上に置かれ、一方でミルク泡層が、液体のコーヒーの層の上に「持ち上げ」られる。同様な方法で形成され少なくとも２つの層を有し得る更なる製品／成分が、これに応じて調製されても良い。
【００２１】
更に、飲料は、最初に食品から香りを抽出し、第１の（かなり強い）層を形成し、次いで該層に食品の調製の間に水が追加されることが知られている。このようにして、カフェアメリカーノ及びそれに類する飲料が調製され得る。これらの実施例においては、前記少なくとも２つの別個の室の少なくとも１つは、必ずしもそれぞれの食品を収容する必要がない。例えば、再びカフェアメリカーノ及びそれに類する飲料を参照すると、前記第１の室は、エスプレッソ状の基層が抽出される挽かれたコーヒーを有しても良く、前記第２の室は、調製工程の第２の段階において水導管として主に機能する基本的に空の又は中空の室として配置されても良く、これによりエスプレッソベースの基層に追加されるよう、付加的な水が第１の室を迂回することを可能とする。
【００２２】
前記消耗品の前記室に備えられる食品は、大きな粉状の又は挽かれた粒子が該消耗品を通って流れる水によって取り込まれることを防止するフィルタ網又は同様のフィルタリング要素に含まれるか又は斯かる要素により保持されても良い。
【００２３】
更なる実施例においては、前記筐体の前記少なくとも１つの堅固な壁部分は、金属材料又はプラスチック材料からつくられ、前記入口部分に関連する入口端と、前記主出口部分及び前記副出口部分に関連する出口端と、を定義する基本的に回転対称な形状とされ、前記消耗品は、前記筐体を前記少なくとも２つの別個の室に分割する内側筐体を有し、前記主出口部分は、前記第１の室と関連し、前記副出口部分は、前記第２の室と関連する。一般的に、前記内側筐体は、前記筐体、特に前記筐体の中央部分において配置又は受容され得る、別個に成型されたプラスチックの構成要素であっても良い。
【００２４】
本実施例においては、前記内部流量制御構成は、前記内側筐体の中央部分において、前記消耗品の出口端に隣接して配置されることが、更に好適である。従って、前記内部流量制御構成は、特に該供給器において処理される前に、前記消耗品の封止された筐体に囲まれ得る。それ故、該消耗品は、該消耗品の「保存可能期間」を延長させ得る封止された構成を維持し得る。
【００２５】
例として、前記流量制御構成は、前記内側筐体の中央開口又は受容開口に配置され、特に前記流量制御構成に隣接する端壁において又は前記流量制御構成の近くにおいて、前記内側筐体に備えられた流路又は導管を選択的にカバー及び開放（又は露出）するよう更に構成された、弁体を有して良い。
【００２６】
該消耗品の更に他の例においては、前記第１の室は、基本的に円形のプロファイルを有し、前記第２の室は、基本的に前記第１の室のプロファイルを囲む環状のプロファイルを有し、前記主出口部分は、前記出口端の中央部分に配置され、前記副出口部分は、前記出口端の周縁領域に配置される。
【００２７】
代替例においては、前記内部流量制御構成は、基本的に環状の形状とされ、前記内側筐体と前記筐体との間の前記第２の室に配置される。従って、前記内部流量制御構成は、前記第２の室における内部流量を制御するよう構成されても良く、間接的な態様で、更に前記第１の室における内部流量にも影響を与え得る。
【００２８】
該消耗品の更に他の例においては、前記内部流量制御構成は、内部流量特性に基づいて動作可能な、特に圧力依存型又は流量依存型の流量制御弁である、少なくとも１つの流量制御弁を有する。従って、圧力又は流量の増大又は減少が、該内部流量制御構成の作動を実際に「起動」し得る。例として、前記内部流量制御構成は、第１の状態と第２の状態との間で動かされ得るフラップ弁として配置された少なくとも１つの弁を有しても良い。好適には、該弁を第１の状態に付勢する固有の保持力が提供される。従って、該弁を第２の状態にするためには、圧力又は（流体の）流量におけるかなりの増大により引き起こされても良い対応する作動力がかけられる必要がある。
【００２９】
更に他の有利な実施例においては、前記内部流量制御構成は、流量パラメータ、特に圧力又はスループットが、所定の閾値を超えた場合に、対応する出力流を少なくとも略遮断する。このようにして、主出口流が略遮断され、副出口流は作動させられ得る。前記内部流量制御構成は、第２の状態において開口又は貫通孔を封止又はカバーし、該開口を通る流体の移動を防止するよう構成されても良い。より具体的には、前記内部流量制御構成は、対応する出口部分を遮断し、出口流が対応する出口部分を略迂回し、他の出口部分を通って流れるようにしても良い。
【００３０】
前記消耗品の更に他の実施例においては、前記内部流量制御構成は、弾力性材料からつくられた流量制御弁を有する。好適には、前記流量制御弁は、ゴム又はゴムベースの材料からつくられる。更に、前記流量制御弁は、プラスチック材料等からつくられても良い。好適には、単一の流量弁が備えられる。
【００３１】
更に他の実施例においては、前記流量制御弁は、選択的に、第２の状態において前記消耗品の対応する流れの通過をカバーし、第１の状態において該流れの通過を露出する、屈曲可能な部分を有する。例として、前記制御弁は、基本的に回転対称な形状とされても良い。従って、該制御弁の外側端又は内側端において、環状の屈曲可能な部分が備えられても良い。該屈曲可能な部分は、外的負荷又は力をかけることにより変形させられ、流体の流れスループット又は圧力に寄与し得る。
【００３２】
本状況において、前記屈曲可能な部分は、外力のない状況で、略定常状態にあり、消耗品の変形された流れの通過の対応する流れ導管から少なくとも部分的に離れるように曲げられ又は持ち上げられ、前記第１の状態と前記第２の状態との間の遷移のときに、増大させられた流量（スループット）又は増大させられた圧力により引き起こされる外的な負荷が、前記屈曲可能な部分を変形させることが、更に好適であり得る。
【００３３】
この目的のため、流量（スループット）又は入力流の圧力の変更を可能とし得る、かなり単純な制御が該供給機器に備えられても良い。しかしながら、少なくとも幾つかの実施例においては、該流量制御構成は、該供給機器のレベルにおいていずれの付加的な動作もなく、作動させられても良い。このことは例えば、完全レベルの消耗品のレベルが所定の閾値を超え、それに応じて該消耗品の内圧が増大した場合に、達成され得る。またこのようにして、該流量制御構成は、第１の状態と第２の状態との間で動かされるよう自動的に作動させられ得る。
【００３４】
少なくとも２つの消耗品が、飲料の調製のための飲料供給器においける使用のための少なくとも２つの消耗品を有する消耗品のセットを定義しても良い。該消耗品の少なくとも１つが、本発明の少なくとも幾つかの態様に従って形成されることが好適である。
【００３５】
本発明の他の態様においては、食料品の調製のための供給器のための処理ユニットであって、前記処理ユニットは、
少なくとも１つの第１の受容部及び少なくとも１つの第１の締結部を有する、消耗品を受容するための受容空洞と、
前記消耗品の入口部分が基本的に圧密な態様で係合され得るように、前記消耗品の第１の端と入口側で接触するよう構成された、封止ユニットと、
加圧水が供給されることができる入口導管に結合された入口係合ユニットであって、前記消耗品の入口部分と係合して前記消耗品のなかの食料品を処理するよう動作可能な、入口係合ユニットと、
出口係合ユニットと、
を有し、前記出口係合ユニットは、
前記消耗品の出口側において前記消耗品の少なくとも１つの主出口部分に係合して、処理食品が消耗品から流れ出ることを可能とするよう動作可能な、主出口係合ユニットと、
入力流の流量パラメータを制御して、前記消耗品の内部流量制御構成を作動させるよう動作可能な、入力流操作構成と、
を有し、前記処理ユニットは、前記内部流量制御構成を動作させるよう、ここで記載された少なくとも１つの実施例による消耗品を処理するよう構成された、処理ユニットが提示される。
【００３６】
前記入口係合ユニット、前記主出口係合ユニット及び前記副出口係合ユニットは、穿孔ユニットとして構成されても良い。従って、少なくとも幾つかの実施例においては、それぞれの室にアクセスするため前記消耗品を破断し得る、対応する入口穿孔ユニット、主出口穿孔ユニット及び／又は副出口穿孔ユニットが備えられ得る。
【００３７】
しかしながら、代替例においては、前記消耗品の少なくとも１つの転送部分（入口部分、主出口部分及び／又は副出口部分）は、作動可能な穿孔ユニットなしで係合及び／又は接続されても良い。幾つかの実施例においては、少なくとも１つの転送部分は、手動で放すことができる封止部を有しても良い。幾つかの実施例においては、少なくとも１つの転送部分は、特に熱水及び／又は温かい食料品のような、熱い流体を加えることにより流体化され除去されることができる溶融可能な又は可溶性の材料を有しても良い。幾つかの実施例においては、少なくとも１つの転送部分は、熱い加圧水を供給されている間に前記消耗品が膨張した場合、前記処理ユニットの基本的に固定された穿孔要素と協働するよう構成されても良い。幾つかの実施例においては、少なくとも１つの転送部分は、食料品を調製している間に加圧水を加えることにより該消耗品が加圧されたときに破断され得る、特に薄い部分のような弱くされた部分を有しても良い。
【００３８】
好適には、ここで開示される少なくとも幾つかの実施例による消耗品は、前記処理ユニットにおいて処理されることができる。一般的に、係合又は穿孔ユニットは、前記消耗品の筐体を破断することにより、それぞれの対応部分と係合し得る。幾つかの実施例においては、前記副出口係合ユニットは、前記主出口係合ユニット又は前記入口係合ユニットと組み合わせて備えられても良い。代替例においては、前記副出口係合ユニットは、離隔した別個の構成要素であっても良い。
【００３９】
前記処理ユニットの一実施例においては、前記入口係合ユニット及び前記主及び／又は副出口係合ユニットの少なくとも１つは、流体の流れが転送されることができる内部導管を備えた穿孔器を有する。
【００４０】
更に他の実施例においては、前記処理ユニットは更に、処理食料品が前記消耗品から流れ出ることを可能とするための、出口側において前記消耗品の少なくとも１つの副出口部分に係合するよう動作可能な、副出口係合ユニットと、前記主出口係合ユニット及び更には少なくとも１つの副出口係合ユニットが時間的にずれた態様で前記消耗品に係合するよう前記少なくとも１つの副出口係合ユニットを制御するように動作可能な係合制御ユニットと、を有する。好適には、前記入力流操作構成及び前記係合制御ユニットは、協働して入力流の増大及び前記少なくとも１つの副出口係合ユニットの係合を同期させるよう結合される。換言すれば、前記入力流操作構成により引き起こされる前記内部流量制御構成の作動と前記副出口係合ユニットの係合との間の（時間的に又は因果的に）定義された接続が実現され得る。それ故、該内部流量制御構成が第１の状態から第２の状態へと実際に動くと、該副出口係合ユニットは該消耗品の対応する出口部分と係合し、出口流を実現し得る。その結果、主出口部分及び主出口係合ユニットを通る出口流が停止させられるか、又は少なくともかなり低減させられ得る。このことは、食料品の調製の間に別個の食品（例えばコーヒーベースに対するミルクベース）を「切り換える」ために有益である。
【００４１】
更に他の実施例においては、前記処理ユニットは更に、特にアクチュエータコイルのような磁気アクチュエータユニットを有し、前記磁気アクチュエータユニットは、前記消耗品の前記内部流量制御構成の可動弁部材に作動力をかけ、第１の状態と第２の状態との間で前記弁部材をリモートで動作させ、前記少なくとも１つの室からの流体の流れを選択的に許容又は防止するよう動作可能である。従って、前記消耗品の前記内部流量制御構成は、リモートに作動させられ得る。前記磁気アクチュエータユニットは、入力流の流量パラメータを制御するよう動作可能である入力流操作構成に加えて備えられても良い。従って、該アクチュエータユニット及び該入力流操作構成の両方が、前記内部流量制御構成の動作、特に内部流量制御弁の動作に寄与し得る。幾つかの実施例においては、該アクチュエータユニットは、単に前記入力流操作構成を動作させても良い。従って、該内部流量制御構成を作動させるために利用される入力流操作構成を必ずしも実装しない処理ユニットも想到され得る。該入力流操作構成及び該磁気アクチュエータユニットの両方が備えられる場合には、該内部流量制御構成の作動のための対応する設定が、例えば現在処理されるべき消耗品のタイプ又は香りに依存して、場合毎に変わり得る。
【００４２】
本発明の更に他の態様においては、特に飲料供給器のような、食料品の調製のための供給機器であって、前記供給機器は、
水タンクと
前記水タンクから供給される水を加圧するためのポンプユニットと、
前記加圧された水を加熱するための加熱ユニットと、
ここで記載された少なくとも幾つかの態様による処理ユニットと、
を有する供給機器が提示される。
【００４３】
好適には、該供給機器は、ここで開示された少なくとも幾つかの実施例により消耗品を処理するよう構成される。言うまでもなく、該供給機器は、種々のタイプの消耗品から得られ得る種々のタイプの食料品を調製するよう構成されても良い。それ故、該供給機器は、従来の単一室のカプセルをも処理するよう構成されても良い。前記加熱ユニットは、流水型（flow-through）加熱器、ボイラ又は同様の加熱装置として構成されても良い。更に、該供給機器は基本的に、外部の加熱ユニットから供給された予め加熱された水を処理するよう構成されても良い。基本的に、該加熱ユニットは、前記ポンプユニットの下流に配置されても良い。代替例においては、該ポンプユニットは、該加熱ユニットの下流に配置されても良い。好適には、該供給機器、特に該機器の前記処理ユニットは、入力流の流量パラメータ（例えばスループット、圧力、温度等）を選択的に制御し該パラメータに影響を与える、流量制御及び／又は圧力制御ユニットを備える。従って、本発明の幾つかの態様による消耗品の内部流量制御構成は、対応する流れ特性における変化によって間接的に作動させられ得る。
【００４４】
本発明の更に他の態様においては、食料品の調製のための供給機器における消耗品の使用であって、前記供給機器は、
入力流の流量パラメータを制御して、前記消耗品の内部流量制御構成を作動させるよう動作可能な、入力流操作構成を含む、ここで開示されたような少なくとも１つの実施例による処理ユニット
を有し、前記消耗品は、
液体に対して不透過性である少なくとも１つの堅固な壁部分を有する筐体と、
前記消耗品が前記処理ユニットに挿入されたときに、前記筐体へ加圧水が流入することを可能とするよう構成された入口部分と、
前記筐体から主流体が流れ出すことを可能とするよう構成された少なくとも１つの主出口部分と、
前記筐体から副流体が流れ出すことを可能とするよう構成された少なくとも１つの副出口部分と、
前記少なくとも１つの主出口部分又は前記少なくとも１つの副出口部分と関連する内部流量制御構成と、
を有し、前記内部流量制御構成は、対応する出口部分を通る出口流を可能とする第１の状態と、対応する出口部分を通る出口流が少なくとも略防止される第２の状態と、の間で動作可能であり
前記内部流量制御構成を動作させるよう入力流操作構成が動作させられる、消耗品の使用が提示される。
【００４５】
本発明のこれらの及び他の態様は、以下に説明される実施例を参照しながら説明され明らかとなるであろう。
【図面の簡単な説明】
【００４６】
【図１】飲料供給器、特にコーヒー作成機器の実施例の斜視図を示す。
【図２】供給機器において用いられることができる、消耗品、特にカプセルのセットの斜視上面図を示す。
【図３】供給器のための処理ユニット、特に煎出ユニットの実施例の簡略化された模式的なブロック表現を示す。
【図４】本発明による消耗品の実施例の簡略化された斜視底面図を示す。
【図５】供給器のための処理ユニット、特に煎出ユニットの実施例の簡略化された模式的なブロック表現を示す。
【図６】本発明による消耗品の実施例の斜視断面上面図を示す。
【図７】本発明による消耗品の実施例の斜視分解断面図を示す。
【図８】第１の状態Ｉ及び第２の状態IIで示された内部流量制御構成を有する、本発明による消耗品の実施例の一部の断面側面図を示す。
【図９】第１の状態Ｉ及び第２の状態IIで示された内部流量制御構成を有する、受容空洞に配置された、本発明による消耗品の他の実施例の断面側面図を示す。
【図１０】第１の状態Ｉ及び第２の状態IIで示され、第２の状態IIが破線で示された、内部流量制御構成、特に流量制御弁の断面斜視上面図示す。
【図１１】係合構成が第１の係合状態で示された、本発明による消耗品及び対応する係合構成の実施例の簡略化された断面側面図を示す。
【図１２】消耗品の内部流量制御構成が第２の状態IIにおいて同時に配置された、第２の係合状態で示された、図１１の係合構成の他の図を示す。
【図１３】第１の状態Ｉ及び第２の状態IIで示された内部流量制御構成を有する、本発明による消耗品の他の実施例の相補的な部分的な断面側面図を示す。
【図１４】第１の状態Ｉ及び第２の状態IIで示された内部流量制御構成を有する、本発明による消耗品の更に他の実施例の相補的な部分的な断面側面図を示す。
【図１５】第１の状態Ｉ及び第２の状態IIで示された内部流量制御構成を有する、本発明による消耗品の更に他の実施例の相補的な部分的な断面側面図を示す。
【図１６】第１の状態Ｉ及び第２の状態IIで示された内部流量制御構成を有する、本発明による消耗品の更に他の実施例の相補的な部分的な断面側面図を示す。
【図１７】第１の状態Ｉ及び第２の状態IIで示された内部流量制御構成を有する、本発明による消耗品の更に他の実施例の相補的な部分的な断面側面図を示す。
【図１８】図１７による消耗品の内部流量制御構成の更なる実施例の他の断面側面図を示す。
【図１９】第１の状態Ｉ及び第２の状態IIで示された内部流量制御構成を有する、本発明による消耗品の更に他の実施例の部分的な断面側面図を示す。
【図２０】第１の状態Ｉ及び第２の状態IIで示された内部流量制御構成を有する、本発明による消耗品の更に他の実施例の部分的な断面側面図を示す。
【発明を実施するための形態】
【００４７】
図１は、以下コーヒー作成機器とも呼ばれ得る、供給器１０の斜視図を示す。供給器１０は一般的に、消耗品３０（図２も参照）とともに、飲料調製システムを形成する。典型的には、供給器１０は、消耗品３０としてカプセルを用いる。カプセルベースの消耗品３０は、堅固な消耗品３０と呼ばれ得、食料品及び該食料品の香りをかなり長い期間に亘って封止することができるという、柔らかいパッドベースの消耗品に対する主な利点を持つ。幾つかの実施例においては、飲料供給器１０は、例えば茶、温かい又は冷たいミルク、スープ、離乳食等のような、コーヒー以外の飲料をつくるために用いられるよう構成される。更に、消耗品３０は一般に、飲料供給器の使用による対応する飲料の調製のための、対応する食品を含む。
【００４８】
供給器１０の実施例に関しては、特に欧州特許出願公開EP2543291A1への参照が為される。この点に関して、更なる参照が国際特許出願公開WO2011/077349A2に為される。
【００４９】
供給器１０は、処理された製品、特に処理された飲料が得られる、供給ヘッド１２を有しても良い。供給ヘッド１２は、容器又はカップ２６を食品で満たすための出口管を含む出口部分１６を有しても良い。供給器１０は更に、以下により詳細に説明される、処理ユニット１４を有しても良い。処理ユニット１４は、特に挽かれたコーヒーベースの製品といった食品を含むカプセルのような、消耗品３０を受容して処理するよう構成されても良い。例として、処理ユニット１４は、受容部１８を有しても良い受容空洞１７と、処理されるべき消耗品３０を受容及び封止するための締結部２０と、を有しても良い（図３も参照）。更に、ディスプレイ、タッチ画面、スイッチ、制御ボタン等を有しても良いユーザ制御部２４が備えられても良い。
【００５０】
図２は、カプセル３０のセット３２の例の斜視上面図である。カプセル３０のセット３２は、少なくとも２つの消耗品３０を有しても良い。例として、カプセル３０のセット３２は、同じタイプの香りの複数の消耗品３０を有しても良い。更に、カプセル３０のセット３２は、幾つかが異なるタイプ及び／又は香りを呈する複数の消耗品３０を有しても良い。
【００５１】
図３及び５を特に参照しながら、供給器１０のための処理ユニットの実施例が示され、更に説明される。一般に、処理ユニット１４は、処理されるべき消耗品３０から飲料又は同様の食品７０（例えばコーヒー、ミルク、カプチーノ、カフェラテ、ラテマッキアート等）を得るよう構成されても良い。例えば味を持つ層７１、７２、７３を有する食品７０（図５参照）のような、多様な異なる食品７０を調製することが望ましいものであり得る。それぞれの層７１、７２、７３は、略コーヒーベース、ミルクベース、及び／又は泡又はクレマ層であっても良い。この目的のため、本発明によれば、いわゆる多室消耗品３０が利用されても良い。多室消耗品３０は、２つ以上の内部室３４、３６を有しても良い。例として、図３及び５に示された消耗品３０の例は、第１の室３４及び第２の室３６を有しても良い。第１の室３４は第１の食品物質１０４を含み、第２の室３６は第２の食品物質１０６を含んでも良い（図９も参照）。
【００５２】
一実施例においては、第１の食品１０４はミルクベースのものであるか又はミルク粉を含んでも良い。第２の食品１０６は、コーヒーベースのものであるか又は挽かれたコーヒーを有しても良い。それぞれの食品物質１０４、１０６は、紙ベースの又は布（又は網）ベースのフィルタ要素に含まれるか又は該要素により保持されても良い。食品１０４、１０６から、加圧された熱水により処置により、食品が得られる。しかしながら、幾つかの実施例においては、第１の室３４又は第２の室３６は、食品調製工程の間に、残りの室（又はより具体的には残りの室に関連する出口）を迂回し得る、水の迂回通路を提供し得る、迂回室とみなされ得る。
【００５３】
図５を参照すると、カプチーノタイプ又はカフェラテタイプの食品が、液体のミルクにより主に形成される第１の基層７１を有しても良い。更に、基層７１の上には、液体のコーヒー製品を含んでも良い中間層７２が備えられても良い。更に、中間層７２の上には、好適にはミルクの泡を含む第３の層又は上端層７３が備えられても良い。食品７０の調製の間、最初に基層７１が生成されても良い。従って、第１の室３４は最初に、ミルク粉により満たされても良い。消耗品３０の幾つかの出口部分を選択的に係合することにより、別個の流体を有するシフトされた又は時間的にずらされた出口流が提供され得る。基層７１の生成に続いて、コーヒーベースの液体が消耗品３０から流れ出るときに、中間層７２が形成されても良い。従って、第２の室３６は、それぞれのコーヒーベースの食品を含んでも良い。ミルク成分の泡の多い成分は典型的に、流体のミルク及び／又は流体のコーヒーよりもかなり低い密度を有するため、流体のコーヒーは基本的には、基層７１の泡の多い上端層を通って流れ、これにより（液体の）基層７１と結果的な（泡の多い）上端層７３との間に配置されても良い。
【００５４】
再び図３及び図５の両方が参照される。図示されるように、消耗品３０は、受容空洞１７において受容されても良い（図１も参照）。受容空洞１７は、締結部２０と協働して基本的に封止された態様で消耗品３０を受容する受容部１８を有しても良い。この目的のため、少なくとも１つの封止部を有する封止ユニット２２が備えられても良い。封止ユニット２２は、基本的に圧密な態様で、入口側２８（ここでは高圧側とも呼ばれる）を封止しても良い。好適には、少なくとも幾つかの実施例においては、同様の圧密な態様で出口側２９（ここでは低圧側とも呼ばれる）を封止する必要はない。従って、加圧水は、消耗品３０の入口側に供給され、基本的に周囲の圧力にさらされた出口側２９において消耗品３０から出得る。
【００５５】
更に、処理ユニット１４は、水タンク３８と、水タンク３８から得られた水に加圧するためのポンプ４０と、を有しても良い。更に、水を加熱するためのボイラ又は加熱器４２が備えられても良い。加圧された熱水は、入口導管又は入口通路４４を介して、消耗品３０に導かれても良い。処理ユニット１４は更に、それぞれの部分と係合するよう構成された、入口穿孔ユニット４６及び出口穿孔構成４８を有しても良い。出口穿孔構成４８は、出口側２９においてそれぞれの部分と係合するよう構成された、主出口穿孔ユニット５０及び副出口穿孔ユニット５２を有しても良い。主出口穿孔ユニット５０及び副出口穿孔ユニット５２は基本的に、互いとは独立して動作可能であっても良い。特に、主出口穿孔ユニット５０及び副出口穿孔ユニット５２は、時間的にずらされた態様で異なる時点において消耗品３０と係合して該消耗品３０を穿孔しても良い。
【００５６】
入口穿孔ユニット４６及び主出口穿孔ユニット５０の少なくとも一方は、消耗品３０が受容空洞１７に挿入され係止されたときに、受容部１８と締結部２０とが係合させられるか又は相互に当接されると、消耗品３０の対応する部分と係合するよう構成されても良い。
【００５７】
好適には、入口穿孔ユニット４６及び主出口穿孔ユニット５０の少なくとも一方は、それぞれ締結部及び受容部１８に結合される。しかしながら、少なくとも幾つかの実施例においては、入口穿孔ユニット４６、主出口穿孔ユニット５０及び副出口穿孔ユニット５２の少なくとも１つが、締結部２０及び受容部１８とは独立に作動可能であっても良い。この目的のため、入口穿孔ユニット４６、主出口穿孔ユニット５０及び副出口穿孔ユニット５２の少なくとも１つは、それぞれのアクチュエータと結合されるか又は斯かるアクチュエータにより作動させられても良い。
【００５８】
例として、図３及び５に例示されるように、副出口穿孔ユニット５２は、締結部２０及び受容部１８とは独立に作動可能であっても良い。副出口穿孔ユニット５２は、係合制御ユニット５８により制御されても良いアクチュエータユニット６０に結合されても良い。図３及び５に更に示されるように、アクチュエータユニット６０は基本的に、副出口穿孔ユニット５２を変位させるよう、又はより具体的には、副出口穿孔ユニット５２を付勢して消耗品３０と係合させるように動作可能であっても良い。一般的に、アクチュエータユニット６０は、電気的に動作させられるアクチュエータユニット６０（例えば電動、電磁式等）、機械的に動作させられるアクチュエータユニット６０（例えばばねにより動作させられるもの）、及び／又は流体により動作させられるアクチュエータユニット６０（例えば油圧駆動）であっても良い。
【００５９】
図３は、アクチュエータユニット６０が、処理ユニット１４の加圧された流体システムに結合されても良い油圧シリンダを有しても良い実施例を示す。アクチュエータの流体の流れ５６は、アクチュエータ６０及び従って副出口穿孔ユニット５２を作動させるために確立されても良い。係合動作を制御するため、流量操作制御構成又はユニット６２が、少なくとも１つの対応する制御要素５９、６１、特に少なくとも１つの制御弁５９、６１を備えられるか、又は該要素に結合されても良い。例として、制御要素６１は、アクチュエータ流路５６に備えられる。例として、制御要素又は弁５９は、入口流路５４又は入口導管４４に配置される。制御要素５９、６１はいずれも、例えば流れのスループット及び／又は圧力のような、流れの特性を制御するよう動作可能であっても良い。このようにして、一方では、アクチュエータユニット６０が、主出口穿孔ユニット５０の係合とは基本的に独立して対応する出口部分に係合するよう副出口穿孔ユニット５２に電力供給するよう、選択的に制御され動作させ得るため、このことは有益となり得る。更に、主入力流５４の特性は、消耗品３０に備えられた内部流量制御構成を「起動する」よう制御されても良い。この目的のため、ここで説明される少なくとも幾つかの実施例によれば、内蔵された／内部流量制御構成又はユニット８４が消耗品３０に備えられても良く、消耗品３０における対応する穴又は通路８５を通る出力流を選択的に制御するよう構成されても良い。斯かる消耗品３０のそれぞれの実施例は、例えば図７乃至２０と関連して以下に詳細に説明される。
【００６０】
好適には、副出口穿孔又は係合ユニット５２と内部流量制御構成８４とは、同期されるか又は少なくとも適合され、及び／又は基本的に時間的に整合される。このことは、消耗品３０の室３４、３６に含まれる食品１０４、１０６の処理が、より正確に制御され得るため、有益となり得る。換言すれば、図３に示されるように、食品調製工程の最初の段階において、食品７０の基層７１が形成されても良く、これは主出口穿孔ユニット５０を介して消耗品３０から流れ出る流れ成分６４により主に形成される出力流６８によって基本的に形成され得る。副出口穿孔ユニット５２は、図３に示されるように最初の段階においては係合させられないため、対応する副出口流は確立されない。
【００６１】
主出口流６４と副出口流６６との間を「切り換える」ため（図５参照）、２つの有益な動作が組み合わせられても良い。一方では、内部流量制御構成８４は、それぞれの通路８５を閉じる又は遮断するよう動作させられても良く、このことは更なる主出口流６４を低減させるか又は略防止し得る。このことは例えば、流れ特性（例えばスループット又は圧力）を選択的に変化させることにより実現されても良い。他方では、副出口係合ユニット５２が、消耗品３０の対応する出口部分と係合させられても良い。主出口流が幾分か内部流量制御構成８４により遮断されるため、処理される食品自体の液体の流れは基本的には、それぞれの（遮断された）出口を迂回し、副出口係合ユニット５２により係合された副出口を介して、該消耗品から流れ出る。その結果、出口流６８を形成する副出口流要素６６が生成され得る。好適には、それぞれの出口流要素６４、６６が、消耗品３０のそれぞれの室３４、３６と関連し、より具体的には、該室に含まれる食品物質１０４、１０６と関連する。これに関連して、主出口流要素６４と副出口流要素６６との間のかなり「鋭い」遷移が実現されることは必ずしも必要とされないことは、言及しておく価値がある。
【００６２】
図５は更に、処理ユニット１４の代替の制御構成を示す。例えば、制御ユニット５８により制御されることができるアクチュエータユニット６０は、図５において参照番号７４により示されるタイマを参照して、時間依存の態様で制御されても良い。更に、例えばポンプユニット４０を制御するよう構成されても良い、入力流操作ユニット６２が備えられても良い。従って、制御部５８、６２は、内部流量制御構成８４と、同時に又は所定の時間的なオフセットを伴って、副出口係合ユニット５２のためのアクチュエータユニット６０と、を動作させるよう、定義された態様で選択的に作動させられても良い。
【００６３】
ここでカプセル型の消耗品３０の斜視底面図を示す図４が参照される。更に、対応する断面図を示す図６が参照される。図４及び６に示されるように、消耗品３０は、液体に対して不透過性である、又はより一般的には、流体に対して少なくとも略不透過性である、プラスチックの壁及び／又はアルミニウムの壁を少なくとも部分的に有する、筐体７６、特に、比較的堅固な筐体７６を有しても良い。少なくとも幾つかの実施例においては、筐体７６は、封止された筐体、特に供給器１０において処理される前に封止された、最初に封止された筐体と呼ばれ得る。本開示の目的のため、消耗品３０は、第１の端７８と、該第１の端７８とは反対側の第２の端８０と、を有しても良い。第１の端７８と第２の端８０との間には、堅固な壁部分８２が備えられても良い。一般的に、第１の端７８は、入口側２８と関連しても良い。従って、第２の端８０は、出口側２９と関連しても良い。
【００６４】
ここで用いられる「上端（top）」なる語は、説明の目的のため、消耗品３０の第１の端７８を示す。更に、「底部（bottom）」なる語は、説明の目的のため、消耗品３０の第２の端８０を示す。しかしながら、この割り当ては限られた意味で解釈されるべきではない。即ち、幾つかの供給器１０においては、消耗品３０は、消耗品３０の第１の端７８と第２の端８０とが、それぞれ供給器１０の上端及び底部と必ずしも整合しない特定の向きで受容され得る。
【００６５】
消耗品３０においては、第１の室３４及び第２の室３６は、基本的に同心的な態様で配置されても良い。第１の室３４は、消耗品３０の大部分を占有しても良く、それ故、主室と呼ばれ得る。第２の室３６は、消耗品３０の小さな部分を占有しても良く、それ故副室と呼ばれ得る。第１の室３４は、基本的に円形の断面を持っても良い。第２の室３６は、基本的に環状の断面を持っても良い。
【００６６】
ここで、本発明の少なくとも幾つかの原理による消耗品３０の実施例の斜視断面図を示す、図７が参照される。これに関連し、図７の消耗品３０の一部の断面図を示す、図８が更に参照される。図８においては、説明の目的のため、内部流量制御構成８４の第１の状態がＩにより示される。内部流量制御構成８４の第２の状態は、IIにより示される。消耗品３０は、封止された態様で内側処理又は収容空間を囲み得る、筐体７６を有する。筐体７６の第１の端７８においては、蓋又はカバー９６が備えられても良い。蓋又はカバー９６は、筐体７６の上壁又は締結壁９８をカバーしても良い。締結壁９８において、入口係合ユニット４６の入口穿孔器８６に適合されたものであっても良い、円錐形の凹部１００が備えられても良い（図９も参照）。締結壁９８に隣接して、食品物質１０４、１０６を収容するよう構成されたものであっても良い、それぞれの室３４、３６が備えられても良い（図９参照）。
【００６７】
受容空洞１７において封止的に受容された消耗品３０の代替実施例の対応する断面側面図を示す図９が、更に参照される。図９は更に、それぞれの穿孔又は係合ユニット４６、５０、５２の実施例を例示する。一般的に、少なくとも１つの入口穿孔ユニット４６は、少なくとも１つの入口穿孔器８６又は入口穿孔器８６の構成を有しても良い。同様に、主出口穿孔ユニット５０は、少なくとも１つの主出口穿孔器９０又は主出口穿孔器９０の構成を有しても良い。同様に、副出口穿孔ユニット５２は、少なくとも１つの副出口穿孔器９４又は副出口穿孔器９４の構成を有しても良い。入口穿孔ユニット４６、主出口穿孔ユニット５０及び副出口穿孔ユニット５２は、受容部１８及び／又は締結部２０において配置又はガイドされても良い。少なくとも１つの入口穿孔器８６は、流体の流れ、特に加圧され加熱された水の消耗品３０への流れを可能とする、少なくとも１つの管又は導管８８を有しても良い。少なくとも１つの主出口穿孔器９０は、流体の流れ、特に消耗品３０から出る食品の流れを可能とする、少なくとも１つの管又は導管９２を有しても良い。更に、少なくとも１つの副出口穿孔器５２は、少なくとも１つの管又は導管９４を備えても良く、従って同様な態様で配置されても良い。
【００６８】
再びカプチーノタイプの消耗品３０の例を参照すると、第１の室３４に収容された第１の食品物質１０４はミルク粉を有しても良く、第２の室３６に収容された第２の食品物質１０６は挽かれたコーヒーを有しても良い。
【００６９】
更に、消耗品３０の複数の別個の室３４、３６を定義する（即ち分離する）内側筐体１１０が、（外側の）筐体７６に備えられても良い（ここでもまた図７参照）。内側筐体１１０もまた、基本的にはカップ状の形状とされても良い。内側筐体１１０は、基本的に管状又は円錐状に延在しても良い、内側境界壁又は内側壁部分１１２を有しても良い。換言すれば、内側壁部分１１２は、環状の断面を有しても良い。内側壁部分１１２は、第１の室３４を囲んでいても良い。更に、内側筐体１１０は、出口端壁又は底部端壁１１６と呼ばれ得る端壁１１６を有しても良い。
【００７０】
内側壁部分１１２と端壁１１６との間の遷移部において、内側筐体１１０が該消耗品の筐体７６に配置されたときに周縁チャネル１５０を定義し得る、周縁スロット又は凹部が備えられても良い。図９、１１及び１２に最も良く示されているように、内側筐体１１０と（外側の）筐体７６とはあわせて、基本的に環状の断面を有し第１の室３４を囲み得る、第２の室３６を定義しても良い。
【００７１】
端壁１１６は、第２の端８０に隣接して配置されても良い。第１の端７８に隣接して、内側筐体１１０は、締結壁９８によりカバーされたものであっても良い開口を有しても良い。内部流量制御構成８４と協働する少なくとも１つの貫通孔又は流路８５が、端壁１１６に配置されても良い。より詳細には、端壁１１６の中央部分に配置された開口又は受容座部１１８を基本的に囲み得る、複数のかなり小さな貫通孔又は流路８５が備えられても良い。
【００７２】
図７に更に示されるように、内部流量制御構成８４は、弁１０２、特にワッシャ状の弁を有しても良いし、又は斯かる弁として構成されても良い。弁１０２は、屈曲可能な部分１０８、特に屈曲可能な外周部１０８を有しても良い。弁１０２は、内部流量制御弁とも呼ばれ得る。弁１０２は、内側筐体１１０の端壁１１６の受容座部１１８において受容されるよう構成されても良い。この目的のため、弁１０２は、対応する装着輪郭又は装着環１２０を備えても良い（図１０も参照）。更に、弁１０２は、例えば主出口穿孔器９０に適合されても良い円錐形の突起１１４を備えても良い。弁１０２は、基本的に封止された態様で、受容座部１１８に受容されても良い。屈曲可能な部分１０８は、第１の状態Ｉ及び第２の状態IIをとるよう構成されても良い（図８における参照番号１０８−Ｉ、１０８−IIも参照）。この点に関し、対応する弁１０２の拡大された斜視断面図を示す図１０が参照される。図１０においては、屈曲可能な部分１０８の第２の状態又は構成が、破線により示されている。
【００７３】
更に、図７及び９が参照される。主入口穿孔ユニット４６、主出口穿孔ユニット５０及び副出口穿孔ユニット５２との相互作用のため、消耗品３０は、対応する穿孔器により破断されることができるそれぞれの係合部を有しても良い。第１の端７８において、少なくとも１つの主入口部分１４０が備えられても良い。少なくとも１つの主入口穿孔部８６が、主入口部分１４０と係合（又は該部分を破断）しても良い。筐体７６の第２の端８０において、第１の室３４に関連し得る少なくとも１つの主出口部分１４２が備えられても良い。少なくとも１つの出口穿孔器９０が、主出口部分１４２と係合（又は該部分を破断）しても良い。更に、第２の室３６に関連し得る少なくとも１つの副出口部分１４４が、消耗品３０の筐体７６に備えられても良い。少なくとも１つの副出口穿孔器９４が、副出口部分１４４と係合（又は該部分を破断）しても良い。例として、副出口部分１４４は、第２の端８０の周縁領域に備えられても良い。
【００７４】
副出口部分１４４は、周縁チャネル１５０に結合されても良い。基本的に、周縁チャネル１５０は、（外側の）筐体７６及び内側筐体１１０によりあわせて形成されても良い。周縁チャネル１５０は、筐体７６によりカバーされた内側筐体１１０における窪み又は凹部として形づけられても良い。副出口穿孔ユニット５２の少なくとも１つの副出口穿孔器９４が、副出口部分１４４を貫通又は破断すると、処理されるべき食品７０の形成に寄与する副流が確立され得る（図１１及び１２も参照）。
【００７５】
例として、副出口係合ユニット５２は、出口流を実現するため副出口部分１４４に係合するよう主に構成された、対応する副出口穿孔器又は刃９４を有しても良い。それ故、副出口穿孔器又は刃９４は、必ずしも（内側）導管を提供する必要はない。逆に、対応する出口流が、基本的に中空ではない副出口穿孔器９４を通過して流れる。しかしながら、幾つかの実施例においては、副出口穿孔器９４は、少なくとも１つの内側出口流チャネル又は導管を有しても良い。
【００７６】
図９に更に示されるように、高圧側又は入口側２８において、封止ユニット２２が、基本的に圧密の態様で受容部１８において受容された周縁端１７８又は筐体７６と係合及び該周縁端１７８又は筐体７６を付勢しても良い。従って、入口部分１４０もまた、基本的に圧密の態様で封止される。この目的のため、受容部１８及び締結部２０は、消耗品３０が処理ユニット１４の受容空洞１７に受容されたときに係合させられ得る。それ故、加圧水が、入口部分１４０を介して消耗品３０に供給され得る。更に、少なくとも第１の室３４が、好適には第１の室３４及び第２の室が、これに応じて加圧され得る。低圧側又は出口側２９においては、出口部分１４２、１４４を圧密な態様で封止する必要は基本的にはない。
【００７７】
図９は更に、内部流量制御構成８４、特に該構成の弁１０２の代替実施例を示す。図７、８及び１０の弁１０２は、第１の状態Ｉと第２の状態IIとの間で遷移可能となるよう屈曲可能なワッシャ状又はディスク状の環状外側周縁領域１０８を有する。代替例においては、説明の目的のため第１の状態Ｉ及び第２の状態IIで示された図９の内部流量制御構成８４の弁１０８は、内側筐体１１０、特に内側筐体１１０の内側壁部分に弁１０２を装着し得る外側環又は装着環１２０を有する。装着環１２０から延在して、第１の状態Ｉと第２の状態IIとの間で屈曲可能な内側に延在する周縁端又は環１０８が備えられても良い。
【００７８】
更に、内部流量制御構成８４のそれぞれの動作状態又はモードＩ、IIを示す図８及び９が参照される。第１の状態Ｉにおいては、屈曲可能な部分１０８は基本的に、流路８５から持ち上げられる。これに応じて、通路８５を通る出力流が可能とされ得る。第２の状態IIにおいては、屈曲可能な部分１０８は基本的に、流路８５をカバーする。従って、対応する出口流は、かなり低減させられるか又は防止され得る。通路８５を通り、主出口流６４（図３及び１１を参照）の少なくとも要素が提供され得る。以上に示されたように、内部流量制御構成８４の第１の状態Ｉと第２の状態IIとの間の変化は、流れ特性における変化、と特にスループット又は圧力における変化により、引き起こされ、起動され又は開始されても良い。第１の状態Ｉは、たとえあったとしても限られた負荷のみしか弁１０２に、特に弁１０２の屈曲可能な部分１０８にかけられない状態と呼ばれ得る。第２の状態IIは、所定の閾値を超える増大させられた負荷が、弁１０２に、特に弁１０２の屈曲可能な部分１０８にかけられる状態と呼ばれ得る。屈曲可能な部分１０８にかけられる負荷が大きいほど、弁１０２の封止機能が好適となる。
【００７９】
更に、食品調製工程の個々の段階を模式的に示す図１１及び１２が参照される。図１１及び１２は、図７、８及び１０に示された実施例に基づくが、限定的な意味で理解されるべきではない。図１１は、それぞれ第１の端７８及び第２の端８０において、入口係合ユニット４６及び主出口係合ユニット５０が、消耗品３０と係合（又は穿孔／破断）する第１の係合状態を示す。従って、入力流５４が可能とされる。更に、内部流量制御構成８４が第１の状態Ｉにあるため、入口部分１４０と出口部分１４２との間で主出口流６４が可能とされ（図９も参照）、第１の室３４を通る主流体スループット１５４が確立され得る。内部流量制御構成８４が基本的に開状態にあるため、通路８５を通る流体の流れが可能とされる。
【００８０】
反対に、図１２は、副出口係合ユニット５２が、消耗品３０の対応する副出口部分１４４に係合する、第２の係合状態を示す。更に、内部流量制御構成８４が、閉状態又は封止状態とも呼ばれ得る第２の状態IIに遷移又は変形されている。このことは、例えば対応する圧力及び／又はスループットの上昇による、流れ特性における特徴的な変化により起動されても良い。従って、主出口流６４（図１１参照）は、かなり停止されるか、又は停止さえさせられ得る。しかしながら、副出口係合ユニット５２は第２の状態IIにおける係合状態にさせられているため、副流体スループット１５６は、好適には第２の室を用いる消耗品３０内に確立され得る。従って、副出口流６６が確立され得る。室３４、３６の両方において、加圧水が、該室に収容されている食品物質１０４、１０６と反応し得る。言うまでもなく、副流体スループット１５６は、第１の室３４と第２の室３６との間の内部通路又は穴を通って導かれ、対応する副出口部分１４４へと導かれても良い。
【００８１】
図１３乃至２０を参照しながら、本発明の一般的な概念内である消耗品３０の更なる代替実施例が、より詳細に示され説明される。ここで開示される実施例に関して、特定の特徴は交換可能であり、勿論代替実施例の一部を形成し得ることは、理解されるべきである。従って、ここで明示的に説明される実施例は、依然として本発明の範囲内である更なる代替実施例を形成するよう、当業者によって容易に利用されることができる、特徴のセットを形成するものとみなされ得る。このことは特に、ここで開示される実施例及び（副次的な）態様の代替実施例にも当てはまる。
【００８２】
ここで開示される消耗品３０の実施例は、単一の出口係合（又は穿孔）ユニット５０のみを有する環境においても、主出口係合ユニット５０及び副係合穿孔ユニット５２を有する環境においても、動作可能であり得ることは、明示的に言及しておく。いずれの場合においても、内部流量制御構成８４は、消耗品３０の全体的な出力流を制御し、複数成分の飲料の調製を容易化する等しても良い。
【００８３】
図１３は、基本的に図７、１１及び１２に示された実施例に対応する、消耗品３０の実施例を示す。図１３に示されるように、消耗品３０は、対応する主出口穿孔器９０を含む主出口係合ユニット５０のみを有する出口穿孔構成４８を実装する処理ユニット１４（図３及び５参照）において動作可能である。従って、主出口流６４及び副出口流６６の両方が、同じ主出口穿孔器９０の近くにおいて、又は主出口穿孔器９０における出力チャネルを通って、消耗品３０から連続して流れ出ることができる。対応する内部流量成分は、主流体スループット（経路）を示す矢印１５４と、副流体スループット（経路）を示す矢印１５６と、により、図１３において示されている。ここで用いられる「主（primary）」及び「副（secondary）」なる語は主に、区別の目的のために提示されるものであり、それ故限定的な意味で解釈されるべきではない。従って「主」なる語は必ずしも、出力流の主要部分、又は出力流の香りのある部分を示すものではない。例として、「主」及び「副」なる語は、それぞれの内部流路又は室の作動の順序に関連し得る。
【００８４】
内部流量制御構成の第２の状態（図１３において８４−IIにより示される）において、弁１０２は、流路８５を遮断し、斯くして第２の室３６を通る副流体スループット１５６を起動し、このことが、第２の室３６に収容された食品物質１０６を処理し、最終的に主出口穿孔器９０を介して消耗品３０から流れ出得る副出口流６６を生成する。
【００８５】
図１４は、消耗品３０の同様な実施例を示す。消耗品３０は、内部流量制御構成８４が第２の室３６に関連し、従って環状の形状を持つ点において、図１３に示された実施例と異なっている。更に示されるように、第１の状態８４−Ｉにおいて、弁１０２の屈曲可能な部分１０８が通路８５から持ち上げられると、第２の室３６を通る主流体スループット１５４が可能とされる。第２の状態８４−IIにおいては、内部流量制御構成８４が通路８５及びそれ故主流体スループット１５４を遮断し、従って図１４における第１の室３４を通って導かれる副流体スループット１５６を可能とする。更なる改善例として、第１の室３４は、端壁１２８が損なわれていない限り第１の室３４からの出力流を防止する端壁（又はドーム型壁）１２８により区切られ得る。このことは流体の流れ制御に寄与し、更に第１の状態８４−Ｉにおいて第２の室３６から第１の室３４への還流を防止する。流れ特性が例えば増大させられた流れ圧力により第１の室３４を作動させるよう適合されると、端壁１２８が破断され、副流体スループット１５６を確立しても良い。
【００８６】
図１５は、第１の状態８４−Ｉと第２の状態８４−IIとの間で動作させられ得る内部流量制御構成８４を実装した消耗品３０の他の実施例を示す。図１５においては、内部流量制御構成８４は、ピストン状の可動弁部材１３０と、対応する消耗品３０の出口側２９に隣接する封止座部１３６と、を有する弁１０２を実装する。圧力をかけられると、ピストン１３０が作動させられ、内側筐体１１０の内壁部分１１２により形成されるガイド壁に沿って封止座部１３６の方へと滑動し得る。ピストン１３０と封止座部１３６とは、互いに係合して、封止座部１３６を通る出口流を遮断しても良い。最初に、食品調製工程の間において、ピストン１３０における穴又は通路１３２を通る主流体スループット１５４が確立されて、出力流成分６４を形成する第１の室３４に収容された第１の食品物質１０４を処理しても良い。第１の食品物質１０４が消費又は処理されると、入力流５４の流れ特性が変化させられて、封止座部１３６と接触するようピストン１３０を滑動させても良い。従って、通路１３２を通る主流体スループット１５４は基本的には、第２の室３６を通る及び対応する穴又は通路１３４を通る副流体スループット１５６が引き起こされ得る間は、遮断される。例として、副流体スループット１５６は、副出口係合ユニット構成１５２及び対応する副出口穿孔器９４の近くにおいて消耗品３０から流れ出て、副出力流成分６６を形成しても良い。
【００８７】
更に他の代替実施例が、図１６に示される。ここで例示される消耗品３０は実際に、第１のピストン部材１６０及び第２のピストン部材１６２を有する。第１のピストン部材１６０は、入口側ピストン部材１６０とも呼ばれ得る。第２のピストン部材１６２は、出口側ピストン部材１６２とも呼ばれ得る。消耗品３０は更に、好適には例えばミルクベースの液体のような液体の食品物質１０４である第１の食品物質１０４を収容し囲む袋又は殻部１６４を有する。
【００８８】
袋又は殻部１６４は、第２のピストン部材１６２と、出口側２９に面する筐体７６の端部と、の間に配置されても良い。更に、第２の食品物質１０６、特に挽かれた又は水溶性の食品物質１０６が、第１のピストン部材１６０と第２のピストン部材１６２との間に配置されても良い。従って、袋又は殻部１６４に収容された第１の食品物質１０４を収容する第１の室３４と、第２の食品物質１０６を収容する第２の室３６と、が定義され得る。
【００８９】
最初に、食品調製工程の間、第１のピストン部材１６０及び第２のピストン部材１６２の両方が、入力流５４にさらされ、（幾分か）同時に出口側２９に向けて動かされても良い。このことは、袋又は殻部１６４が主出口係合ユニット５０により穿孔又は破断され、従って、出力流成分６４を形成し得る主流体スループット１５４が確立され得るという効果を持ち得る。この段階において、第２のピストン部材１６２は実際に、入口側２８から該部材にガイドされた流体の流れが該消耗品から出ることを防止する障壁として機能し得る。更に、流体の流れが、袋又は殻部１６４を圧搾又は圧縮する力を生成し、出力流成分６４を生成する。
【００９０】
袋又は殻部１６４が少なくとも略空にされると、第２のピストン部材１６２が主出口係合ユニット５０により係合され、その結果穿孔又は破断されても良い。それ故、副出口流成分６６を形成し得る副流体スループット１５６が確立され得る。副流体スループット１５６は、第１のピストン部材１６０と第２のピストン部材１６２との間で第２の室３６に収容された第２の食品物質１０６を処理する入力流５４により形成されても良い。図１６に示された消耗品３０は、２つの状態８４−Ｉと８４−IIとの間で動作させられ得る二重ピストン式の流量制御構成８４を実施化する。
【００９１】
図１７及び図１８は、それぞれ消耗品３０のための内部流量制御構成８４及びその改善例の他の実施例を示す。内部流量制御構成８４は、選択的に封止座部１７０を通る流れを遮断又は許容するよう移動可能な球部材１６８を利用する弁１０２を有する。封止座部１７０に近接して、出口側２９に続く通路８５が備えられても良い。球部材１６８は、内側筐体１１０により形成されるか又は内側筐体１１０において配置されても良い受容管１７４のなかに配置される。受容管１７４は更に、受容管１７４と第１の室３４とを接続する少なくとも１つの側方開口又は横側開口１７６を有しても良い。更に、消耗品３０は、筐体７６の内側空間を分離する分離壁１８０を有する。従って、分離壁１８０は、互いの近くに配置されても良い第１の室３４と第２の室３６とを分離する。第１の室３４は、入口側２８に隣接して配置される。第２の室３６は、出口側２９に隣接して配置される。第１の室３４は、第１の食品物質１０４を有する。第２の室３６は、第２の食品物質１０６を有する。受容管１７４は、内側筐体１１０のなかに実施化されても良い。
【００９２】
球型の弁１０２を作動させるため、入力流５４の流れ特性は、球部材１６８の必要とされる作動力に応じて設定されても良い。分離壁１８０において、入力流５４の流れ特性が所定の閾値を超えたときに通過され得る、孔１８２が備えられても良い。同様に、孔１８４は、第２の室３６から流れ出る流れにより通過され得る底端壁１１６に備えられても良い。従って、球部材１６８は、封止座部１７０を通る主流体スループット１５４が可能とされる第１の状態（８４−Ｉ、１６８−Ｉ）から、孔１８２及び孔１８４を通る副流体スループット１５６が可能とされる第２の状態（８４−II、１６８−II）へと付勢されても良い。主出口流成分６４及び副出口流成分６６の両方が、主出口係合ユニット５０を介して、特に主出口穿孔器９０を通って、消耗品３０から流れ出ても良い。
【００９３】
図１８は、内部流量制御構成８４、特に球部材１６８の代替の動作を示す。この目的のため、処理ユニット１４は、球部材１６８を第１の状態（１６８−Ｉ）から第２の状態（１６８−II）へと動かすよう球部材１６８に作動力をかけるよう通電され得る、アクチュエータコイル１９０を有しても良い（図１７も参照）。従って、球部材１６８は好適には金属材料からつくられ、特に強磁性材料からつくられる。従って、図１７及び１８に示されるような消耗品３０は、特に入力流５４の流れ特性（圧力、温度、流量等）の所定の設定を介して動作させられ得る。代替として、又はこれに加えて、図１８に示されるように、消耗品３０は、アクチュエータコイル１９０、対応する電源ユニット、及び対応する制御部を実装する、別個の作動ユニットにより、磁力を介して動作させられても良い。
【００９４】
更に、膜型の態様で構成された弁１０２を含む内部流量制御構成８４の更なる実施例を実装する消耗品３０の部分的な図を示す図１９及び２０が参照される。図１９は、第１の状態（８４−Ｉ）における内部流量制御構成８４を示し、第２の状態（８４−II）は破線で示される。図２０は、第２の状態（８４−II）における内部流量制御構成８４を示し、第１の状態（８４−Ｉ）は破線で示される。以上において既に示され説明されたように、消耗品３０は、第１の食品物質１０４及び第２の食品物質１０６を有し得る第１の３４及び第２の室３６が定義された、筐体７６を有しても良い。更に、消耗品３０は、主出口係合ユニット５０、及び幾つかの場合においては副出口係合ユニット５２を実装し得る、出口穿孔構成４８により係合されても良い。図１９及び２０に示された膜型の弁１０２は、基本的には円形の態様で構成され、２つの（膨らんだ）状態の間で曲がり得る。幾つかの実施例においては、弁１０２は、双安定弁とも呼ばれ得る。弁１０２は、内側筐体１１０の内壁部分１１２において、封止座部１７０の近くに配置される。封止座部１７０は、消耗品３０の出口部分１４２に動作可能に結合されても良い。内部流量制御構成８４の第１の状態８４−Ｉにおいては、図１９及び２０に示された弁１０２は、入口側２８に向けて持ち上げられるか又はドーム状にされる。それ故、封止座部１７０は弁１０２によって遮断されない。従って、第１の室３４、弁１０２の流路８５、及び出口部分１４２を通る主流体スループット１５４が可能とされ得る。内部流量制御構成８４の第１の状態８４−IIにおいては、図１９及び２０に示された弁１０２は、出口側２９に向けて窪められるか又はドーム状にされる。従って、封止座部１７０は弁１０２によってカバーされ、弁１０２の流路８５及び封止座部１７０を通り、出口部分１４２に向かう及び出口部分１４２を通る主流体スループット１５４は、確立されない。
【００９５】
図１９に示されるように弁１０２が第１の状態にある場合、弁１０２に備えられた流路８５及び消耗品３０の出口部分１４２を通る主流体スループット１５４が可能とされる。弁１０２の第２の状態において可能とされる副流体スループット１５６は、図１９において破線により示されている。図１９及び２０に示された実施例は、複数の通路８５が図２０における弁１０２において円形の態様で配置される点で、互いとは異なっている。図１９における対応する封止座部１７０は、中央出口流部分１４２を囲む接触環を定義する。それ故、第２の（遮断された）状態においては、膜型の弁１０２が封止座部１７０に封止的に受容されるため、流路８５と中央出口流部分１４２との間に流れが確立されない。
【００９６】
反対に、図２０においては、流路８５が、膜型の弁１０２の中央領域に配置される。更に、対応する封止座部１７０が、出口流路を囲まないが閉じた端面を囲む接触環を定義する。第１の状態においては、弁１０２は、封止座部１７０及びその接触環から十分に持ち上げられ、それにより弁１０２の流路８５を通る流れが封止座部１７０を通過し、出口側２９に向けて封止座部１７０の閉じた端面からオフセットされた消耗品３０の筐体７６の出口部分１４２に到達し得る。第２の状態においては、弁１０２は、封止座部１７０の接触環において封止的に受容される。流れが実際に、弁１０２における流路８５を通過し得る。しかしながら、弁１０２が該接触環と接触している限り、該流れは、封止座部１７０の閉じた端面を通過することはできない。
【００９７】
本発明は図面及び以上の記述において詳細に説明され記載されたが、斯かる説明及び記載は説明するもの又は例示的なものであって限定するものではないとみなされるべきであり、本発明は開示された実施例に限定されるものではない。図面、説明及び添付される請求項を読むことにより、請求される本発明を実施化する当業者によって、開示された実施例に対する他の変形が理解され実行され得る。
【００９８】
請求項において、「有する（comprising）」なる語は他の要素又はステップを除外するものではなく、「１つの（a又はan）」なる不定冠詞は複数を除外するものではない。単一のプロセッサ又はその他のユニットが、請求項に列記された幾つかのアイテムの機能を実行しても良い。特定の手段が相互に異なる従属請求項に列挙されているという単なる事実は、これら手段の組み合わせが有利に利用されることができないことを示すものではない。
【００９９】
請求項におけるいずれの参照記号も、請求の範囲を限定するものとして解釈されるべきではない。
【図１】
0006322344.tif 000002
【図２】
0006322344.tif 000003
【図３】
0006322344.tif 000004
【図４】
0006322344.tif 000005
【図５】
0006322344.tif 000006
【図６】
0006322344.tif 000007
【図７】
0006322344.tif 000008
【図８】
0006322344.tif 000009
【図９】
0006322344.tif 000010
【図１０】
0006322344.tif 000011
【図１１】
0006322344.tif 000012
【図１２】
0006322344.tif 000013
【図１３】
0006322344.tif 000014
【図１４】
0006322344.tif 000015
【図１５】
0006322344.tif 000016
【図１６】
0006322344.tif 000017
【図１７】
0006322344.tif 000018
【図１８】
0006322344.tif 000019
【図１９】
0006322344.tif 000020
【図２０】
0006322344.tif 000021